(57)【特許請求の範囲】
【請求項１】
入力された符号化画像データ及び符号化音声データを復号化する復号部と、
出力制御信号に従って、前記復号部で復号化された画像データ及び音声データを出力する出力部と、
前記符号化画像データ及び前記符号化音声データを有するコンテンツについての著作権情報が検出されていない場合であって、再生要求がされているときには、通常の速度で再生を行うための復号化処理を行うように、再生要求がされていないときには、通常の速度で再生を行うための復号化処理の一部を省略した、前記著作権情報の高速検出をするための復号化処理を行うように、前記復号部を制御する復号制御部と、
前記復号部で復号化された音声データから、前記著作権情報を検出して出力する著作権情報検出部と、
前記著作権情報検出部で検出された著作権情報に基づいて、前記コンテンツが正規のコンテンツであるか否かを判定し、正規のコンテンツであると判定した場合には前記出力部に出力を行わせるように、不正なコンテンツであると判定した場合には前記出力部に出力を停止させるように、前記出力制御信号を出力する出力制御部とを備える
復号化装置。
【請求項２】
請求項１に記載の復号化装置において、
前記著作権情報検出部で検出された著作権情報を格納する記憶部を更に備え、
前記出力制御部は、
前記記憶部に格納された著作権情報に基づいて前記出力制御信号を出力するものである
ことを特徴とする復号化装置。
【請求項３】
請求項２に記載の復号化装置において、
前記復号部は、
前記著作権情報の高速検出をするための復号化処理を行う場合には、前記符号化音声データについての復号化処理の一部を省略した処理を行うものである
ことを特徴とする復号化装置。
【請求項４】
請求項３に記載の復号化装置において、
前記復号部は、
前記符号化音声データを所定の期間についてのみ復号化するものである
ことを特徴とする復号化装置。
【請求項５】
請求項３に記載の復号化装置において、
前記復号部は、
前記符号化音声データを所定の間隔で間引き、復号化するものである
ことを特徴とする復号化装置。
【請求項６】
請求項３に記載の復号化装置において、
前記復号部は、
前記符号化音声データとしての複数のチャンネルのデータのうち、一部のチャンネルのデータのみを復号化するものである
ことを特徴とする復号化装置。
【請求項７】
請求項３に記載の復号化装置において、
前記復号部は、
前記符号化音声データに対して通常の処理を行う場合に得られる音声データよりもサンプリング周波数が小さい音声データを求めるものである
ことを特徴とする復号化装置。
【請求項８】
請求項３に記載の復号化装置において、
前記復号部は、
前記符号化音声データのうち、復号化に必要な演算量が最も少ない方式で符号化されているデータを選択して復号化するものである
ことを特徴とする復号化装置。
【請求項９】
請求項２に記載の復号化装置において、
前記復号制御部は、
再生要求がされている場合には、高速再生を禁止する通知を外部に出力するものである
ことを特徴とする復号化装置。
【請求項１０】
請求項２に記載の復号化装置において、
前記出力制御部は、
前記符号化音声データのうち、少なくとも１つの符号化方式によって符号化された音声データから検出された著作権情報が前記記憶部に格納されている場合以外には、前記出力制御信号として、出力を禁止する信号を出力するものである
ことを特徴とする復号化装置。
【請求項１１】
請求項２に記載の復号化装置において、
前記出力制御部は、
前記符号化音声データのうち、再生すべき音声データから検出された著作権情報が前記記憶部に格納されていない場合には、前記出力制御信号として、出力を禁止する信号を出力するものである
ことを特徴とする復号化装置。
【請求項１２】
請求項１に記載の復号化装置において、
前記復号部は、
前記著作権情報の高速検出をするための復号化処理を行う場合には、前記符号化音声データについての復号化処理の一部を省略した処理を行うものである
ことを特徴とする復号化装置。
【請求項１３】
請求項１２に記載の復号化装置において、
前記復号部は、
前記符号化音声データを所定の期間についてのみ復号化するものである
ことを特徴とする復号化装置。
【請求項１４】
請求項１２に記載の復号化装置において、
前記復号部は、
前記符号化音声データを所定の間隔で間引き、復号化するものである
ことを特徴とする復号化装置。
【請求項１５】
請求項１２に記載の復号化装置において、
前記復号部は、
前記符号化音声データとしての複数のチャンネルのデータのうち、一部のチャンネルのデータのみを復号化するものである
ことを特徴とする復号化装置。
【請求項１６】
請求項１２に記載の復号化装置において、
前記復号部は、
前記符号化音声データに対して通常の処理を行う場合に得られる音声データよりもサンプリング周波数が小さい音声データを求めるものである
ことを特徴とする復号化装置。
【請求項１７】
請求項１２に記載の復号化装置において、
前記復号部は、
前記符号化音声データのうち、復号化に必要な演算量が最も少ない方式で符号化されているデータを選択して復号化するものである
ことを特徴とする復号化装置。
【発明の詳細な説明】
【技術分野】
【０００１】
本発明は、符号化された画像データや音声データを復号化する復号化装置に関し、特に、著作権保護技術に関する。
【背景技術】
【０００２】
デジタル化された画像データや音声データは、通常、高能率符号化処理により情報量が削減され、その後、多重化されて記録媒体への記録や伝送が行われる。記録媒体の主な例としては、ＤＶＤ（Digital Versatile Disc）が挙げられる。伝送の主な例としては、デジタルテレビ放送やインターネットでの配信が挙げられる。
【０００３】
画像データは、主にＭＰＥＧ−２（Moving Picture Experts Group-2）やＭＰＥＧ−４方式等によって符号化され、音声データは、主にＤｏｌｂｙ  Ｄｉｇｉｔａｌ、ＤＴＳ（Digital Theater Systems）、ＭＰＥＧ  Ａｕｄｉｏ、ＰＣＭ（Pulse Code Modulation）方式等によって符号化される。
【０００４】
これらの符号化方式で符号化された音声データを、以下では符号化音声データと称することとする。符号化音声データとして、複数チャンネルの音声データが符号化されていることが多い。
【０００５】
画像や音声をデジタルデータ化すると、記録や伝送を行う際の利便性が高くなる一方、劣化することなく複製することができるようになるので、著作権の侵害が問題となる。この問題に対処するため、画像データや音声データに著作権情報を埋め込む技術が開発されている。技術の詳細は省略するが、例えばＤＶＤ−Ａｕｄｉｏ等ではすでにこのような技術が採用されている。
【０００６】
著作権情報を検出するためには、画像データや音声データを復号化し、検出処理を行う必要がある。検出処理は高速再生中にも行う必要があり、コンパクトディスク（ＣＤ：Compact Disc）を高速にダビングしながら著作権情報を検出する技術が、例えば下記特許文献１に開示されている。
【特許文献１】特開２００３−６６９９６号公報
【発明の開示】
【発明が解決しようとする課題】
【０００７】
ＣＤやＤＶＤ−Ａｕｄｉｏにおいては音声データが重要な著作物であった。これに対し、今後は、映画等の動画データをも含んだコンテンツに対して、音声データに埋め込まれた著作権情報を利用して著作権保護が行われる可能性がある。この場合、画像データだけではなく、音声データも必ず復号化し、かつ、著作権情報の検出も行う必要がある。このため、演算量が大幅に増加し、特に高速再生時において大きな演算能力が必要であるという問題があった。
【０００８】
また、高速再生時には、演算量やデータ転送量を抑えるために音声データの復号化処理を省く場合があるが、この場合には音声データに埋め込まれた著作権情報を検出することができないという問題があった。
【０００９】
本発明は、大きな演算能力を必要とせずに著作権情報の処理を行うようにすることを目的とする。
【課題を解決するための手段】
【００１０】
本発明に係る復号化装置は、再生要求の有無に応じて、通常の速度で再生を行うための復号化処理、又は著作権情報の高速検出をするための復号化処理を行って、コンテンツについての著作権情報を検出し、検出された著作権情報に従って、復号化された結果の出力を制御するものである。
【００１１】
より具体的には、本発明は、復号化装置として、入力された符号化画像データ及び符号化音声データを復号化する復号部と、出力制御信号に従って、前記復号部で復号化された画像データ及び音声データを出力する出力部と、前記符号化画像データ及び前記符号化音声データを有するコンテンツについての著作権情報が検出されていない場合であって、再生要求がされているときには、通常の速度で再生を行うための復号化処理を行うように、再生要求がされていないときには、通常の速度で再生を行うための復号化処理の一部を省略した、前記著作権情報の高速検出をするための復号化処理を行うように、前記復号部を制御する復号制御部と、前記復号部で復号化された音声データから、前記著作権情報を検出して出力する著作権情報検出部と、前記著作権情報検出部で検出された著作権情報に基づいて、前記コンテンツが正規のコンテンツであるか否かを判定し、正規のコンテンツであると判定した場合には前記出力部に出力を行わせるように、不正なコンテンツであると判定した場合には前記出力部に出力を停止させるように、前記出力制御信号を出力する出力制御部とを備えるものである。
【００１２】
これによると、通常の速度で再生を行うための復号化処理、又は著作権情報を高速検出するための復号化処理が行われて、著作権情報が検出されるので、大きな処理能力を必要とせずに、著作権情報を得ることができる。また、通常の速度よりも高速な再生は、既に著作権情報が得られた後でなければ行われないので、そのような高速再生時には著作権情報を得るための復号化処理を行う必要がない。したがって、大きな処理能力を必要とせずに、著作権情報に従った出力制御を行うことができる。
【発明の効果】
【００１３】
本発明によると、著作権情報の処理のために必要な処理能力を小さくすることができる。また、高速再生時等において音声データを復号化しない場合にも、コンテンツの著作権保護を図ることができる。
【発明を実施するための最良の形態】
【００１４】
以下、本発明の実施の形態について、図面を参照しながら説明する。
【００１５】
（第１の実施形態）
図１は、本発明の第１の実施形態に係る復号化装置のブロック図である。図１の復号化装置は、入力部１２と、復号部１４と、出力部１６と、復号制御部２２と、記憶部２４と、著作権情報検出部２６と、出力制御部２８とを備えている。図１の復号化装置は、例えば、音声用ウォーターマーク検出機能付ＤＶＤプレーヤーに用いられる。
【００１６】
入力部１２には、例えばＤＶＤから読み出されたコンテンツのデータＲＤが入力されている。このデータＲＤには、符号化された画像データ及び符号化された音声データが多重化されている。データＲＤの符号化音声データには、コンテンツの著作権情報がウォーターマークとして埋め込まれている。入力部１２は、入力されたデータＲＤを符号化画像データと符号化音声データとに分離して、復号部１４に出力する。
【００１７】
復号部１４は、復号制御部２２から出力された復号制御信号ＤＣに従って、符号化画像データ及び符号化音声データをＭＰＥＧ−２方式等によって復号化し、得られた復号化された画像データ及び音声データを出力部１６及び著作権情報検出部２６に出力する。出力部１６は、復号化された画像データ及び音声データを、出力制御部２８から出力された出力制御信号ＣＳに従って出力する。
【００１８】
復号制御部２２は、外部から入力された再生要求信号ＰＲ及びコンテンツに関する情報ＣＩ、並びに記憶部２４に格納されている情報に従って、復号制御信号ＤＣを出力して復号部１４の復号処理を制御し、かつ、復号化処理の状態を通知情報ＮＩとして外部に出力する。著作権情報検出部２６は、復号化された音声データに埋め込まれた著作権情報を検出し、検出された著作権情報を記憶部２４及び出力制御部２８に出力する。
【００１９】
記憶部２４は、著作権情報検出部２６で検出された著作権情報を格納し、かつ、復号制御部２２の出力に従って、格納している著作権情報を出力制御部２８に出力する。出力制御部２８は、著作権情報検出部２６及び記憶部２４の出力に従って、出力部１６の出力処理を制御する出力制御信号ＣＳを生成して出力する。出力制御部２８は、検出された著作権情報に基づいて、処理中のコンテンツが正規のコンテンツであるか否かを判定し、処理中のコンテンツが正規のコンテンツであると判定した場合には、出力部１６に出力を行わせるように、処理中のコンテンツが不正なコンテンツであると判定した場合には、出力部１６の出力を停止させるように、出力制御信号ＣＳを出力する。
【００２０】
図２は、図１の復号化装置における著作権情報の取得に関する処理の流れを示すフローチャートである。図２を参照して、図１の復号化装置の具体的な動作について説明する。
【００２１】
まず、再生すべきコンテンツのデータＲＤが入力部１２に入力され、このコンテンツに関する情報ＣＩが復号制御部２２に入力される。コンテンツに関する情報ＣＩは、ディスク情報、番組情報、又は復号化装置独自の管理情報等であり、コンテンツを区別できるものであればよい。
【００２２】
ステップＳ１２において、復号制御部２２は、再生すべきコンテンツに関する情報ＣＩ及びこのコンテンツに対応する著作権情報が、記憶部２４に格納されているか否かを判断する。なおここでは、再生すべきコンテンツに含まれる１つ以上の音声のうち、少なくとも１つの音声のデータに関する著作権情報が格納されているか否かを判断する。再生すべきコンテンツに関する情報及びこのコンテンツに対応する著作権情報が記憶部２４に格納されている場合には処理を終了し、格納されていない場合にはステップＳ１４に進む。
【００２３】
ステップＳ１４において、復号制御部２２は、外部から入力された再生要求信号ＰＲから、再生要求の有無を判断する。再生要求がされている場合にはステップＳ１６に進み、再生要求がされていない場合にはステップＳ２２に進む。
【００２４】
ステップＳ１６において、復号制御部２２は、復号部１４に対して復号制御信号ＤＣとして通常復号化要求信号を出力する。また、復号制御部２２は、高速再生を禁止し、その旨を通知情報ＮＩによって外部に通知する。高速再生とは、通常の速度よりも高速で行われる再生であり、例えばＭＰＥＧ−２方式で符号化されたデータを再生する場合には、Ｉピクチャのみの再生や、Ｉピクチャ及びＰピクチャのみの再生等である。
【００２５】
ステップＳ１８においては、通常の検出処理が行われる。このステップにおいて、入力部１２には、通常の速度で画像データ及び音声データが入力されている。通常復号化要求信号を受けると、復号部１４は、通常の復号化を行う。すなわち、復号部１４は、画像データ及び音声データに対して、通常の速度で再生を行うための復号化をする。著作権情報検出部２６は、復号化された音声データに埋め込まれた著作権情報を検出する。このように、著作権情報検出部２６は、通常の速度での再生中に著作権情報を検出し、再生が終了すると、再生すべきコンテンツに関する情報及びこのコンテンツに対応する著作権情報が記憶部２４に格納された状態となる。
【００２６】
ステップＳ２２においては、高速検出処理が行われる。このステップにおいて、復号制御部２２は、復号部１４に対して復号制御信号ＤＣとして高速検出用復号化要求信号を出力する。高速検出用復号化要求信号を受けると、復号部１４は、高速検出用復号化処理を実施する。
【００２７】
ここで、高速検出用復号化処理について説明する。この処理は、著作権情報を通常の再生速度よりも高速で検出するための復号化処理であって、より短い時間で復号化処理を実施するため、通常の速度で再生を行うための復号化処理の一部を省略した処理である。例えば、著作権情報の検出に画像データが必要ない場合には、符号化画像データの復号化を省略する。
【００２８】
また、著作権情報の検出に必要な音声データのチャンネル数が、コンテンツに含まれる音声データのチャンネル数よりも少ない場合には、復号部１４は、符号化音声データとしての複数のチャンネルのデータのうち、検出に必要な一部のチャンネルのデータのみを復号化する。復号化処理の一部が省略されるので、演算量を少なくすることができる。
【００２９】
また、ステップＳ２２では、著作権情報の検出に必要なサンプリング周波数の条件を満たしていれば、復号部１４は、符号化音声データに対する復号化処理の一部を省略して、符号化音声データに対して通常の処理を行う場合に得られる音声データよりもサンプリング周波数が小さい音声データを求めてもよい。この場合、復号部１４は、高速な動作を行わないようにすることができ、演算量や消費電力を抑えることができる。
【００３０】
また、ステップＳ２２では、復号部１４は、再生すべきコンテンツに異なる符号化方式で符号化された音声データが含まれている場合には、復号化に必要な演算量が最も少ない方式で符号化されている符号化音声データを選択し、復号化するようにしてもよい。例えば、Ｄｏｌｂｙ  Ｄｉｇｉｔａｌ等の圧縮された符号化音声データよりも、ＰＣＭ形式等の圧縮されていない符号化音声データの方が、復号化に必要な演算量は少ないので、圧縮されていない符号化音声データを選択する。
【００３１】
ステップＳ２２において、著作権情報検出部２６は、復号部１４が出力した音声データを受け取り、著作権情報の検出を行う。著作権情報検出部２６は、再生すべきコンテンツの全区間に対しての検出を行い、その結果を記憶部２４に格納させる。このような高速検出処理を終えると、再生すべきコンテンツに関する情報及びこのコンテンツに対応する著作権情報が記憶部２４に格納された状態となる。再生を始める前に高速検出処理を終えると、その後は、そのコンテンツについては著作権情報を検出することなく、通常の速度での再生や高速再生を行うことができる。
【００３２】
ただし、全区間に対しての検出を終了する前に外部から再生要求があった場合には、復号制御部２２は、復号部１４に対して通常復号化要求信号を出力する。その際、Ｉピクチャのみの再生や、Ｉピクチャ及びＰピクチャのみの再生等の高速再生を禁止し、外部へ通知する。すなわち、ステップＳ１６及びＳ１８と同様の処理を行う。
【００３３】
再生すべきコンテンツに関する情報及びこのコンテンツに対応する著作権情報が記憶部２４に格納されている、とステップＳ１２において判断された場合や、以上のステップＳ１４，Ｓ１６，Ｓ１８，Ｓ２２の処理によってそのような情報が格納されている状態になった場合には、高速再生等の再生時において、次の処理を行う。すなわち、出力制御部２８は、記憶部２４に格納されている情報に基づいて、再生すべきコンテンツが正規のものであると判定した場合には、出力を許可する信号を出力制御信号ＣＳとして出力部１６に出力する。逆に、再生すべきコンテンツが正規のものではないと判定した場合には、出力制御部２８は、出力を禁止する信号を出力制御信号ＣＳとして出力部１６に出力する。
【００３４】
以上のように、図１の復号化装置によると、通常の速度で再生しながらの著作権情報検出処理、又は復号化処理の一部が省略された著作権情報検出処理が行われるので、大きな処理能力を必要とせずに、著作権情報に従った出力制御を行うことができる。また、高速再生は著作権情報が取得された後に行われることになるので、高速再生時において音声データを復号化しなくても、コンテンツの著作権を確認し、コンテンツの著作権保護を図ることができる。
【００３５】
なお、出力制御部２８と復号制御部２２とを備えるものとして説明したが、これらを１つの制御部として実現してもよい。
【００３６】
（第２の実施形態）
図３は、本発明の第２の実施形態に係る復号化装置のブロック図である。図３の復号化装置は、入力部１２と、復号部２１４と、出力部１６と、復号制御部２２２と、著作権情報検出部２２６と、出力制御部２２８とを備えている。図１を参照して説明した構成要素には、同一の参照番号を付してその説明を省略する。
【００３７】
再生すべきコンテンツに関する情報ＣＩが入力されると、復号制御部２２２は、復号部２１４に対して復号制御信号ＤＣとして高速検出用復号化要求信号を出力する。高速検出用復号化要求信号を受けると、復号部２１４は、高速検出用復号化処理を実施する。高速検出用復号化処理は、第１の実施形態において説明したものと同様である。
【００３８】
例えば、著作権情報の検出に必要な音声データのチャンネル数が、コンテンツに含まれる音声データのチャンネル数よりも少ない場合には、復号部２１４は、符号化音声データとしての複数のチャンネルのデータのうち、検出に必要な一部のチャンネルのデータのみを復号化する。復号化処理の一部が省略されるので、演算量を少なくすることができる。
【００３９】
また、著作権情報の検出に必要なサンプリング周波数の条件を満たしていれば、復号部２１４は、符号化音声データに対する復号化処理の一部を省略して、符号化音声データに対して通常の処理を行う場合に得られる音声データよりもサンプリング周波数が小さい音声データを求めてもよい。この場合、復号部２１４は、高速な動作を行わないようにすることができ、演算量や消費電力を抑えることができる。
【００４０】
復号部２１４は、再生すべきコンテンツに異なる符号化方式で符号化された音声データが含まれている場合には、復号化に必要な演算量が最も少ない方式で符号化されている符号化音声データを選択し、復号化するようにしてもよい。例えば、Ｄｏｌｂｙ  Ｄｉｇｉｔａｌ等の圧縮された符号化音声データよりも、ＰＣＭ形式等の圧縮されていない符号化音声データの方が、復号化に必要な演算量は少ないので、圧縮されていない符号化音声データを選択する。
【００４１】
著作権情報検出部２２６は、復号部２１４が出力した音声データを受け取り、著作権情報の検出を行う。著作権情報検出部２２６は、再生すべきコンテンツの全区間に対しての検出結果を出力制御部２２８に通知する。
【００４２】
その後、高速再生が行われる。既に著作権情報の検出結果が出力制御部２２８に通知されているので、高速再生を行う際には著作権情報の検出結果に基づいて出力制御部２２８が出力部１６を制御すればよい。すなわち、出力制御部２２８は、検出結果に基づいて、再生すべきコンテンツが正規のものであると判定した場合には、出力部１６対して出力制御信号ＣＳとして出力を許可する信号を出力する。逆に、再生すべきコンテンツが正規のものではないと判定した場合には、出力制御部２２８は、出力部１６に対して出力制御信号ＣＳとして出力を禁止する信号を出力する。
【００４３】
その他の点については、復号部２１４、復号制御部２２２、著作権情報検出部２２６、及び出力制御部２２８は、図１の復号部１４、復号制御部２２、著作権情報検出部２６、及び出力制御部２８とそれぞれ同様であるので、詳細な説明は省略する。
【００４４】
以上のように、図３の復号化装置によっても、高速再生時において音声データを復号化しなくても、コンテンツの著作権を確認し、コンテンツの著作権保護を図ることができる。
【００４５】
なお、出力制御部２２８と復号制御部２２２とを備えるものとして説明したが、これらを１つの制御部として実現してもよい。
【００４６】
また、以上の実施形態においては、入力されるコンテンツの全区間を著作権情報の検出対象としたが、コンテンツの一部のみを検出対象とすればよい場合には、必要な部分のみを検出対象とすればよい。所定時間の検出のみで十分な場合には、コンテンツの冒頭部分のみを検出対象としたり、コンテンツを途中スキップしながら検出するようにしてもよい。すなわち、復号部１４，２１４は、符号化音声データを、検出対象とする一部の期間についてのみ復号化するようにしてもよく、検出に必要な時間を短くすることが可能となる。
【００４７】
また、復号部１４，２１４は、符号化音声データを所定の間隔で間引き、復号化するようにしてもよい。
【００４８】
また、以上の実施形態では、再生すべきコンテンツに含まれる１つ以上の音声のうち、少なくとも１つの音声のデータに関する著作権情報が、コンテンツが正規であることを示していることを確認できれば、再生すると説明した。例えば、出力制御部２８は、再生すべきコンテンツに含まれる符号化音声データのうち、少なくとも１つの符号化方式によって符号化された音声データから検出された著作権情報が記憶部２４に格納されている場合以外には、出力を禁止する信号を出力制御信号ＣＳとして出力する。
【００４９】
これに対して、著作権情報が正規であることが確認できている音声データと、再生すべき音声データとが同じである場合にのみ、出力を許可するようにしてもよい。例えば、出力制御部２８は、符号化音声データのうち、再生すべき音声データから検出された著作権情報が記憶部２４に格納されていない場合には、出力制御信号ＣＳとして、出力を禁止する信号を出力するようにしてもよい。これにより、より高いレベルの著作権保護を行うことができる。
【００５０】
また、例として、ＤＶＤから読み出されたデータを対象として処理する場合について説明したが、これには限られず、その他の光ディスクやハードディスク等の他の記録媒体のデータ、半導体メモリから読み出されたデータ、放送されたデータ、ネットワーク経由で受け取ったデータ等を対象として処理するようにしてもよい。
【００５１】
以上の処理は、ハードウェアによって実現することはもちろん、プロセッサを用いてソフトウェアによって実現することも可能である。また、一部の処理をハードウェアによって行い、残りの処理をソフトウェアによって行うようにしてもよい。
【産業上の利用可能性】
【００５２】
以上説明したように、本発明は、大きな処理能力を必要とすることなく、高速再生時において著作権情報の処理が可能であるので、ＤＶＤプレーヤー等に有用であり、更に、その他の光ディスクプレーヤー、ハードディスクドライブプレーヤー、半導体プレーヤー、ネットワークプレーヤー等にも有用である。
【図面の簡単な説明】
【００５３】
【図１】本発明の第１の実施形態に係る復号化装置のブロック図である。
【図２】図１の復号化装置における著作権情報の取得に関する処理の流れを示すフローチャートである。
【図３】本発明の第２の実施形態に係る復号化装置のブロック図である。
【符号の説明】
【００５４】
１４，２１４  復号部
１６  出力部
２２，２２２  復号制御部
２４  記憶部
２６，２２６  著作権情報検出部
２８，２２８  出力制御部
【図１】
0004560015.tif 000002
【図２】
0004560015.tif 000003
【図３】
0004560015.tif 000004